(57)【要約】      （修正有）【課題】法律に定められた範囲で、且つ特定畜舎等建築物内の面積を確保した上で、雪降ろし作業の作業困難性を軽減した特定畜舎建築物の屋根構造を提供する。【解決手段】所定の間隔で立てられた支柱Ｂ１、Ｂ２上に構築される堆肥舎Ａの屋根構造であって、棟頂部３を境として、一方側に傾斜する屋根部４と、他方側に傾斜する屋根部５とを備え、棟頂部３を、両屋根部４，５のいずれか一方を支持する支柱Ｂ１、Ｂ２寄りに配置した。【選択図】図１
0003178366.tif 000002
【実用新案登録請求の範囲】
【請求項１】
所定の間隔で立てられた複数の支柱上に構築される特定畜舎等建築物の屋根構造であって、棟頂部を境として、一方側に傾斜する屋根部と、他方側に傾斜する屋根部とを備え、前記棟頂部が、前記両屋根部のいずれか一方を支持する前記支柱寄りに配置されていることを特徴とする特定畜舎等建築物の屋根構造。
【請求項２】
前記両屋根部のいずれか一方に換気口が形成され、他方の前記屋根部には、該屋根部の前記換気口側の端部を該換気口方向に延長してなる延長部が形成され、前記延長部は、上面視において前記換気口の全てを隠すように形成されていることを特徴とする請求項１記載の特定畜舎等建築物の屋根構造。
【請求項３】
前記屋根部の延長部が、他方の屋根部に立設された支持杆によって支持されていることを特徴とする請求項２記載の特定畜舎等建築物の屋根構造。
【考案の詳細な説明】
【技術分野】
【０００１】
本考案は、堆肥舎や畜舎等の特定畜舎等建築物の屋根構造に関する。
【背景技術】
【０００２】
堆肥舎や畜舎等の特定畜舎等建築物の屋根構造としては、屋根部を一方向に傾斜させた片流れ屋根構造（特許文献１参照）、屋根部を、棟頂部を境に両方向に向かって傾斜させた切妻屋根構造（特許文献２参照）が知られている。
【先行技術文献】
【特許文献】
【０００３】
【特許文献１】特開平６−３４５５７４号公報
【特許文献２】特開平１０−２８６０３５号公報
【考案の概要】
【考案が解決しようとする課題】
【０００４】
特許文献１及び２に記載された特定畜舎等建築物の構造設計は、平成１４年国土交通省告示第４７４号「特定畜舎等建築物の構造方法に関する安全上必要な技術的基準を定める」の告示に基づいて行われる。
【０００５】
前述の告示から特定畜舎等建築物の構造設計について一部抜粋すると、建築基準法施行令に定める構造計算によって構造耐力上安全であることを条件に、下記の（１）〜（６）の条件に基づき行わなければならないとされている。
【０００６】
（１）木造、補強コンクリートブロック造、鉄骨造若しくは鉄筋コンクリート造の建築物又はこれらの構造のうち２以上の構造を併用する建築物であること。
（２）階数が１であること。
（３）高さが１３メートル以下で、且つ軒の高さが９メートル以下であること。
（４）架構を構成する柱の相互の間隔が１５メートル以下であること。
（５）都市計画法（昭和四十三年法律第百号）第七条第一項に定める市街化区域以外の区域に建設し、かつ、居室を設けないこと。
【０００７】
しかしながら、特定畜舎等建築物の屋根構造を片流れ屋根構造とする場合、（３）、（４）の条件による設計では、片流れ屋根の勾配角度が、この片流れ屋根に積もる雪の滑りを悪くするとともに、雪が積もり易い角度となってしまうという問題があった。
【０００８】
特に、豪雪地帯では、屋根の雪降ろしが必須であるが、片流れ屋根の勾配角度が、雪の滑りを悪くする角度である場合、雪降ろし作業が困難となってしまうという問題があった。
【０００９】
雪の滑りがよい勾配角度の片流れ屋根を構築するには、この片流れ屋根の勾配方向における柱相互の間隔を狭くする方法で実現できるが、このような方法では、特定畜舎等建築物内の面積が削られてしまうため、特定畜舎等建築物としての機能が低下するという問題がある。
【００１０】
一方、特定畜舎等建築物の屋根構造を切妻屋根構造とする場合、前述の片流れ屋根に比較すると、屋根の勾配角度を大きくできるため、屋根に積もる雪の滑りがよく、雪が積もり難いという利点があるが、屋根２面を夫々雪降ろしをしなければならないため、雪降ろしの困難性を軽減するまでには至らないという問題があった。
【００１１】
本考案は、このような問題に対処することを課題とするものである。すなわち、法律に定められた範囲で、且つ特定畜舎等建築物内の面積を確保した上で、雪降ろし作業の作業困難性を軽減できることが本考案の目的である。
【課題を解決するための手段】
【００１２】
前記目的を達成するため、本考案に係る特定畜舎等建築物の屋根構造は、下記の構成を具備する。
【００１３】
所定の間隔で立てられた複数の支柱上に構築される特定畜舎等建築物の屋根構造であって、棟頂部を境として、一方側に傾斜する屋根部と、他方側に傾斜する屋根部とを備え、前記棟頂部が、前記両屋根部のいずれか一方を支持する前記支柱寄りに配置されていることを特徴とする。
【００１４】
前記両屋根部のいずれか一方に換気口が形成され、他方の前記屋根部には、該屋根部の前記換気口側の端部を該換気口方向に延長してなる延長部が形成され、前記延長部は、上面視において前記換気口の全てを隠すように形成されていることを特徴とする。
【００１５】
前記屋根部の延長部が、他方の屋根部に立設された支持杆によって支持されていることを特徴とする。
【考案の効果】
【００１６】
このような特徴を有することで本考案は、以下の効果を奏する。すなわち、一方側に傾斜する屋根部と、他方側に傾斜する屋根部との境となる棟頂部が、両屋根部のいずれか一方を支持する支柱寄りに配置した構造であるので、法律に定められた範囲で、且つ特定畜舎等建築物内の面積を確保した上で、雪降ろし作業の作業困難性を軽減できる。
【図面の簡単な説明】
【００１７】
【図１】本考案に係る実施形態の特定畜舎等建築物の屋根構造の側面図である。
【図２】図１の一部切欠側面図である。
【図３】図１の一部切欠平面図である。
【図４】本考案に係る実施形態の特定畜舎等建築物の屋根構造と従来の屋根構造との比較図である。
【考案を実施するための形態】
【００１８】
以下で説明する特定畜舎等建築物は、堆肥を製造・保管する堆肥舎、牛・豚等の家畜を育成する畜舎、各種農機具や各種機械器具を保管する倉庫等が含まれる。
【００１９】
以下、本考案に係る実施形態の特定畜舎等建築物（以下、「堆肥舎」という）の屋根構造を図１〜図３に基づいて説明する。尚、本実施形態は、本考案を限定するものではない。
【００２０】
堆肥舎Ａは、奥行き方向（図１において左右方向）に所定間隔（１５ｍ以下）を空けるとともに、幅方向（図２において左右方向）に所定間隔（１５ｍ以下）を空けて複数の支柱Ｂ１、Ｂ２が立設され、この複数の支柱Ｂ１、Ｂ２上に屋根１が構築されている。
【００２１】
支柱Ｂ１は、図１において左側に立設され、支柱Ｂ２は、図１において右側に立設されており、以下、支柱Ｂ１側におけるこの支柱Ｂ１の列を前列Ｃとし、支柱Ｂ２側におけるこの支柱Ｂ２の列を後列Ｄとする。
【００２２】
支柱Ｂ１、Ｂ２の高さは、屋根１とで構成される軒２の高さが所定高さ（９ｍ以下）となるように設定されている。また、支柱Ｂ１、Ｂ２の高さは、前列Ｃ側の軒２の高さが後列Ｄ側の軒２の高さよりも高くなるように設定されている。
【００２３】
屋根１は、基本形態を切妻屋根とするものであり、棟頂部３を境に、前列Ｃ方向に傾斜する屋根部４と、後列Ｄ方向に傾斜する屋根部５とを備えている。
【００２４】
屋根１は、棟頂部３が、奥行き方向で対面する支柱Ｂ１、Ｂ２間の中央部ＣＬから前列Ｃ寄りに設定されており、これによって、屋根部４の勾配方向の長さが屋根部５の勾配方向の長さよりも短くなり、且つ屋根部４の勾配角度が屋根部５の勾配角度よりも大きい角度となるようにされている。
【００２５】
屋根１は、支柱Ｂ１、Ｂ２にわたって架設された支持材Ｂ３の上面に、屋根板４０、５０を葺くことで構成されている。支持材Ｂ３は、屋根部４の勾配方向の長さを屋根部５の勾配方向の長さよりも短くできるとともに、屋根部４の勾配角度を屋根部５の勾配角度よりも大きい角度にできるように、図１において「へ」型となるように形成されている。
【００２６】
ここで、棟頂部３は、屋根１における支持材Ｂ３の頂点の直上の部位である。
【００２７】
屋根板４０は、前列Ｃ側の端部から棟頂部３の手前まで至る長さに形成され、棟頂部３側の端部から棟頂部３までの部位に堆肥舎Ａ内外を連通する換気口６を設けるようにされている。この換気口６は、屋根板４０の幅方向の全域にわたり設けられている。
【００２８】
このような換気口６によって、堆肥舎Ａ内の換気を行うことができるので、堆肥舎Ａ内に臭気や湿気を籠らせないようにでき、これによって、堆肥舎Ａの環境を良好なものとすることができるとともに、堆肥を効率よく乾燥でき、且つ鉄骨等の錆の発生や木材の腐敗等を抑制することができる。
【００２９】
屋根板５０には、棟頂部３から換気口６方向に延長された延長部５０Ａが設けられている。この延長部５０Ａは、換気口６の直上に位置し、この換気口６の全てを上面視（図３参照）において隠せる程度に形成されており、これによって、換気口６から堆肥舎Ａ内への雨や雪が入り難いようにしている。
【００３０】
延長部５０Ａは、換気口６から臨む支持材Ｂ３の上面に架設した受板Ｂ４の上面に立設された支持杆Ｂ５によって支持されており、この支持杆Ｂ５の支持により、積もった雪の重みや風の勢い等による変形や破損が防止されている。
【００３１】
このような堆肥舎Ａには、堆肥を撹拌する撹拌装置７（図１にのみ図示）が備えられている。この撹拌装置７は、縦型スクリュタイプの周知構造のものであるので、具体的な説明は省略するが、概略的には、スクリュ７０と、このスクリュ７０を垂下し、自走するとともに、スクリュ７０の動力源となるモータ７１と、堆肥舎Ａ内の奥行き方向に配されて、モータ７１を走行可能に支持するレール７２と、前列Ｃ側の支柱Ｂ１とＤ側の支柱Ｂ１と幅方向全域に配されて、レール７２を走行可能に支持するレール７３とで構成されている。
【００３２】
レール７２は、レール７３上をモータ（図示せず）等の動力源の動力によって、幅方向に沿って走行するようにされている。前列Ｃ側のレール７３は、軒２の付近となる高さに配置され、これによって、重機等による前列Ｃ側からの堆肥の出し入れ作業を行い易くできるようになっている。
【００３３】
このような撹拌装置７は、スクリュ７０の回転によって堆肥を撹拌しながら、このスクリュ７０の奥行方向への走行及びレール７２の幅方向への走行によって、堆肥舎Ａ内に堆積した堆肥を万遍なく撹拌することができるようになっている。
【００３４】
次に、図４に基づいて、屋根１（実線で示す切妻屋根構造）の構造と、従来の屋根１００（１点鎖線で示す片流れ屋根構造）及び屋根２００（２点鎖線で示す切妻屋根構造）の構造における雪降ろし作業の作業困難性を比較する。
【００３５】
図中、堆肥舎Ａ’は、屋根１００が設置されたものであり、堆肥舎Ａ’’は、屋根２００が設置されたものである。
【００３６】
堆肥舎Ａ、Ａ’、Ａ’’は、前述の平成１４年国土交通省告示第４７４号「特定畜舎等建築物の構造方法に関する安全上必要な技術的基準を定める」の告示の（３）（４）の条件を満たすものであり、符号ａは、定められた堆肥舎Ａ、Ａ’、Ａ’’の棟頂部３の最大高さを、符号ｂは、定められた堆肥舎Ａ、Ａ’、Ａ’’の軒２の最大高さを、符合ｃは、定められた支柱Ｂ１、Ｂ２間の最大間隔を、夫々示している。
【００３７】
符号θ１は、この条件で構築された屋根１の屋根部５の勾配角度を、符号θ２は、屋根部４の勾配角度を示す。符号θ１’、θ１’’は、屋根１と同じ条件で構築された屋根１００、２００における屋根部１０１、２０１の勾配角度をそれぞれ示す。符号θ２’は、屋根１と同じ条件で構築された屋根２００における屋根部２０２の勾配角度をそれぞれ示す。
【００３８】
屋根１、１００、２００の構造を比較すると、屋根部５の勾配角度θ１は、屋根部１００の勾配角度θ１’以上であり、屋根部１と最高位置Ｈを同じとする屋根部２００の勾配角度θ１’’とほぼ同等であるため、屋根部５は、屋根部２０１と同様に、雪の滑りがよく、雪が積もり難いという利点を有するものである。
【００３９】
また、屋根部４と勾配角度θ２は、屋根部２０２の勾配角度よりも大きく、しかも、屋根部４の勾配方向の長さが屋根部２０２の勾配方向の長さよりも短いため、屋根部２０２よりも、雪の滑りがよく、雪が積もり難いとともに、積雪量も少なくなるという利点を有するものである。
【００４０】
すなわち、屋根１の構造によると、最高位置Ｈの最大高さａが屋根２００の最高位置Ｈと、軒２の最大高さｂが屋根１００、２００と夫々同条件で設計されたのにもかかわらず、雪の滑りがよく、雪が積もり難いとともに、積雪量も少なくなるという利点を有する屋根１とすることができるので、法律に定められた範囲において、雪降ろし作業の作業困難性を軽減できる。
【００４１】
また、屋根１００の構造の場合、最大間隔ｃを狭くするか、或いは支柱Ｂ２を低くすることで、屋根１００の勾配角度θ１’を大きくすることができる。しかしながら、前者の場合、堆肥舎Ａ’の作業面積が狭くなり、後者の場合においても、支柱Ｂ２側において作業をするための高さが不足し、結局、実質的な堆肥舎Ａ’の作業面積が狭くなってしまう。
【００４２】
このような構造の屋根１００に対して、屋根１の構造は、最大間隔ｃを狭くすることや支柱Ｂ２を低くすることなく、屋根４、５の勾配角度θ１、θ２を大きくすることができるものであるので、堆肥舎Ａ内の面積を確保した上で、雪降ろし作業の作業困難性を軽減できる。
【００４３】
また、屋根部４の勾配角度θ２の大きさや勾配方向の長さを変更することによって、屋根部５の勾配角度θ１の大きさや勾配方向の長さ、更には、屋根１の形状及び最高位置Ｈを適宜変更することができ、これにより、周辺環境に応じた屋根１を構築することができる。
【００４４】
また、このような屋根１によって、例示した縦型スクリュタイプの撹拌装置７の設置に好適な断面構造（図１参照）の堆肥舎Ａを構築することができる。
【００４５】
尚、屋根１の構造は、周辺環境に応じて、換気口６又は延長部５０Ａを備えないものとしてもよい。また、換気口６の位置、範囲、面積については、周辺環境に応じて、任意に変更することができる。
【符号の説明】
【００４６】
Ａ：堆肥舎（特定畜舎等建築物）  Ｂ１：支柱  Ｂ２：支柱  Ｂ５：支持杆  １：屋根
２：軒  ３：棟頂部  ４：屋根部  ５：屋根部  ６：換気口  ５０Ａ：延長部
θ１：勾配角度  θ２：勾配角度
【図１】
0003178366.tif 000003
【図２】
0003178366.tif 000004
【図３】
0003178366.tif 000005
【図４】
0003178366.tif 000006